(57)【特許請求の範囲】
【請求項１】
複製対象データを記憶する複製元記憶装置を備えた複製元ストレージ装置と、複製先ストレージ装置の配下に備えられた前記複製対象データの複製先となる複製先記憶装置と、がネットワークであるイーサネットを介して接続されており、
前記複製先記憶装置の配下に、当該複製先記憶装置が前記ネットワークと接続するためのインタフェースであるホストバスアダプタを備える共に、
前記複製元ストレージ装置と前記複製先記憶装置の配下に備えられた前記ホストバスアダプタとに、これらの間に位置する前記ネットワークを前記複製元ストレージ装置のバスの延長として利用し、前記複製元ストレージ装置と前記複製先記憶装置の配下に備えられた前記ホストバスアダプタとを直接接続する接続機器であるExpEther機器をそれぞれ備え、
前記複製元ストレージ装置は、前記ExpEther機器間の接続を確立して、前記ホストバスアダプタを介して前記複製元ストレージ装置のバスの延長上に前記複製先ストレージ装置の配下に備えられた前記複製先記憶装置を接続するよう制御する接続制御手段を備えた、
ストレージシステム。
【請求項２】
請求項１に記載のストレージシステムであって、
前記複製元ストレージ装置は、前記接続制御手段にて接続が確立された前記複製先記憶装置に、前記複製元記憶装置に記憶された複製対象データを送信して複製記憶する複製手段を備えた、
ストレージシステム。
【請求項３】
請求項１又は２に記載のストレージシステムであって、
前記複製先記憶装置側の前記ExpEther機器は、複数の前記複製元ストレージ装置に備えられた各前記ExpEther機器と接続の確立が可能である、
ストレージシステム。
【請求項４】
複製対象データを記憶する複製元記憶装置を備えた複製元ストレージ装置と、複製先ストレージ装置の配下に備えられた前記複製対象データの複製先となる複製先記憶装置と、がネットワークであるイーサネットを介して接続されており、
前記複製先記憶装置の配下に、当該複製先記憶装置が前記ネットワークと接続するためのインタフェースであるホストバスアダプタを備える共に、
前記複製元ストレージ装置と前記複製先記憶装置の配下に備えられた前記ホストバスアダプタとに、これらの間に位置する前記ネットワークを前記複製元ストレージ装置のバスの延長として利用し、前記複製元ストレージ装置と前記複製先記憶装置の配下に備えられた前記ホストバスアダプタとを直接接続する接続機器であるExpEther機器をそれぞれ備えたストレージシステムが構成されている場合に、
前記複製元ストレージ装置に、前記ExpEther機器間の接続を確立して、前記ホストバスアダプタを介して前記複製元ストレージ装置のバスの延長上に前記複製先ストレージ装置の配下に備えられた前記複製先記憶装置を接続するよう制御する接続制御手段を実現させるためのプログラム。
【請求項５】
請求項４に記載のプログラムであって、
前記複製元ストレージ装置に、さらに、前記接続制御手段にて接続が確立された前記複製先記憶装置に、前記複製元記憶装置に記憶された複製対象データを送信して複製記憶する複製手段を実現させるためのプログラム。
【請求項６】
複製対象データを記憶する複製元記憶装置を備えた複製元ストレージ装置と、複製先ストレージ装置の配下に備えられた前記複製対象データの複製先となる複製先記憶装置と、がネットワークであるイーサネットを介して接続されており、
前記複製先記憶装置の配下に、当該複製先記憶装置が前記ネットワークと接続するためのインタフェースであるホストバスアダプタを備える共に、
前記複製元ストレージ装置と前記複製先記憶装置の配下に備えられた前記ホストバスアダプタとに、これらの間に位置する前記ネットワークを前記複製元ストレージ装置のバスの延長として利用し、前記複製元ストレージ装置と前記複製先記憶装置の配下に備えられた前記ホストバスアダプタとを直接接続する接続機器であるExpEther機器をそれぞれ備えたストレージシステムにて、
前記複製元ストレージ装置が、前記ExpEther機器間の接続を確立して、前記ホストバスアダプタを介して前記複製元ストレージ装置のバスの延長上に前記複製先ストレージ装置の配下に備えられた前記複製先記憶装置を接続するよう制御する、
情報処理方法。
【請求項７】
請求項６に記載の接続制御方法であって、
前記複製元ストレージ装置が、当該複製元ストレージ装置のバスの延長上に接続が確立された前記複製先記憶装置に、前記複製元記憶装置に記憶された複製対象データを送信して複製記憶する、
情報処理方法。
【発明の詳細な説明】
【技術分野】
【０００１】
本発明は、ストレージシステムにかかり、特に、所定の記憶装置に記憶されているデータを他の記憶装置に複製するストレージシステムに関する。
【背景技術】
【０００２】
近年、コンピュータの発達及び普及に伴い、種々の情報がデジタルデータ化されている。このようなデジタルデータを保存しておく装置として磁気ディスクなどのストレージ装置があるが、かかるストレージ装置自体の故障といった不測の事態に備えて、データを他のストレージ装置に複製記憶しておくことが必要となっている。【０００３】
そして、ストレージ装置間におけるデータ複製方法として、例えば、以下の方式がある。まず、一つの方式として、ネットワークを経由したデータ複製する方式がある。かかる方式は、TCP/IP（Transmission Control Protocol / Internet Protocol）プロトコルやFC（Fibre Channel）プロトコルによって相互にデータ転送パスを確立し、そのパスを用いて複製元から複製先にデータを転送するというものである。一例として、特許文献１に開示されているシステムがある。【０００４】
また、もう一つの方式として、転送先ストレージ装置の配下にあるHDD（Hard disk drive）等の記憶装置自体を、一時的に移動して転送元に直接接続するというものである。また、常時、直接接続しておくというものもある。
【先行技術文献】
【特許文献】
【０００５】
【特許文献１】特開２００３−１４１０５４号公報
【発明の概要】
【発明が解決しようとする課題】
【０００６】
しかしながら、上述したデータ複製を実現する構成では、以下のような不都合が生じる。例えば、前者のネットワークを経由したデータを複製する方式では、ストレージ装置の本来の機能に、データを転送のための通信機能を付加必要があり、その実装コストや動作時の負荷は大きいものとなる。【０００７】
また、後者のストレージ装置自体を移動して転送元に直接接続する方式では、HDD装置等を移動する作業者の労力がかかり、また、常時直接接続するために設置上の条件が制約される場合があり、実現できない場合が生じる。特に、常時、直接接続する複数のストレージを実質的に一体運用する必要があり、データの複製をとる目的がデータの多重配置による保護である場合には、妥当な方式ではない。【０００８】
このため、本発明の目的は、上述した課題である、データを複製するストレージシステムにおいて、設備コストの増加や処理負荷の増加ということを解決することにある。
【課題を解決するための手段】
【０００９】
かかる目的を達成するため本発明の一形態であるストレージシステムは、
複製対象データを記憶する複製元記憶装置を備えた複製元ストレージ装置と、複製先ストレージ装置に備えられた上記複製対象データの複製先となる複製先記憶装置と、がネットワークを介して接続されている。
そして、上記複製先記憶装置に、当該複製先記憶装置が上記ネットワークと接続するためのインタフェースであるホストバスアダプタを備える。
さらに、上記複製元ストレージ装置と上記複製先記憶装置に備えられた上記ホストバスアダプタとに、これらの間に位置する上記ネットワークを上記複製元ストレージ装置のバスの延長として利用し、上記複製元ストレージ装置と上記複製先記憶装置に備えられた上記ホストバスアダプタとを接続する接続機器をそれぞれ備えた、
という構成をとる。【００１０】
また、本発明の他の形態であるプログラムは、
複製対象データを記憶する複製元記憶装置を備えた複製元ストレージ装置と、複製先ストレージ装置に備えられた上記複製対象データの複製先となる複製先記憶装置と、がネットワークを介して接続されており、
上記複製先記憶装置に、当該複製先記憶装置が上記ネットワークと接続するためのインタフェースであるホストバスアダプタを備える共に、
上記複製元ストレージ装置と上記複製先記憶装置に備えられた上記ホストバスアダプタとに、これらの間に位置する上記ネットワークを上記複製元ストレージ装置のバスの延長として利用し、上記複製元ストレージ装置と上記複製先記憶装置に備えられた上記ホストバスアダプタとを接続する接続機器をそれぞれ備えたストレージシステムが構成されている場合に、
上記複製元ストレージ装置に、上記接続機器間の接続を確立して、上記ホストバスアダプタを介して上記複製元ストレージ装置のバスの延長上に上記複製先記憶装置を接続するよう制御する接続制御手段を実現させるためのプログラムである。【００１１】
また、本発明の他の形態である情報処理方法は、
複製対象データを記憶する複製元記憶装置を備えた複製元ストレージ装置と、複製先ストレージ装置に備えられた上記複製対象データの複製先となる複製先記憶装置と、がネットワークを介して接続されており、
上記複製先記憶装置に、当該複製先記憶装置が上記ネットワークと接続するためのインタフェースであるホストバスアダプタを備える共に、
上記複製元ストレージ装置と上記複製先記憶装置に備えられた上記ホストバスアダプタとに、これらの間に位置する上記ネットワークを上記複製元ストレージ装置のバスの延長として利用し、上記複製元ストレージ装置と上記複製先記憶装置に備えられた上記ホストバスアダプタとを接続する接続機器をそれぞれ備えたストレージシステムにて、
上記複製元ストレージ装置が、上記接続機器間の接続を確立して、上記ホストバスアダプタを介して上記複製元ストレージ装置のバスの延長上に上記複製先記憶装置を接続するよう制御する、
という構成をとる。
【発明の効果】
【００１２】
本発明は、以上のように構成されることにより、データを複製するストレージシステムの設備コストや処理負荷の軽減を図ることができる。
【図面の簡単な説明】
【００１３】
【図１】本発明の実施形態１におけるストレージシステムの構成を示す機能ブロック図である。
【図２】本発明の実施形態１におけるストレージシステムの動作の様子を示す説明図である。
【図３】本発明の実施形態１におけるストレージシステムの動作の様子を示す説明図である。
【図４】本発明の実施形態１におけるストレージシステムの動作を示すフローチャートである。
【図５】本発明の実施形態２におけるストレージシステムの構成を示す機能ブロック図である。
【図６】本発明の付記１におけるストレージシステムの構成を示す機能ブロック図である。
【発明を実施するための形態】
【００１４】
＜実施形態１＞
本発明の実施形態１におけるストレージシステムを、図１乃至図４を参照して説明する。図１は、ストレージシステムの構成を示す機能ブロック図である。図２乃至図３は、ストレージシステムの動作の様子を示す説明図であり、図４は、ストレージシステムの動作を示すフローチャートである。
【００１５】
［構成］
図１に示すように、本実施形態におけるストレージシステムは、複製元ストレージ装置１と複製先ストレージ装置２とが、ＬＡＮ（Local Area Network）やインターネットなどのネットワークＮ１を介して接続されている。具体的には、複製元ストレージ装置１が、後述するExpEther機器１２，２２やHBA（ホストバスアダプタ）２１を介して、複製先ストレージ装置２に装備されたディスク装置２０に接続されている。なお、本実施形態では、複製元ストレージ装置１と複製先ストレージ装置２とを接続するネットワークＮ１がイーサネット規格のＬＡＮであることとして説明する。以下、各構成について詳述する。
【００１６】
まず、複製先ストレージ装置２について説明する。複製先ストレージ装置２は、演算装置や記憶装置を備えたストレージ装置である。そして、複製先ストレージ装置２は、種々のデータを記憶するディスク装置２０（複製先記憶装置）を、直接接続して備えている。なお、このディスク装置２０は、複製先ストレージ装置２からの指令に応じてデータを記憶することが可能であるが、後述するように、複製元ストレージ装置１に直接接続されているよう扱われ、当該複製元ストレージ装置１に記憶されている複製対象データの複製先ともなる。
【００１７】
また、複製先ストレージ装置２に接続されたディスク装置２０には、ＳＡＳ（Serial Attached SCSI（Small Computer System Interface））やＦＣ（Fibre Channel）等を用いてアクセスするためのインタフェースボードであるHBA（ホストバスアダプタ）２１が接続されている。さらに、このHBA２１には、ExpEther機器２２（接続機器）が接続されており、後述する複製元ストレージ装置１側のExpEther機器１２とネットワークＮ１を介して接続されている。なお、ExpEther機器２２については後述する。
【００１８】
続いて、複製元ストレージ装置１について説明する。複製元ストレージ装置１は、演算装置や記憶装置を備えたストレージ装置である。そして、複製元ストレージ装置１は、ＳＡＳ（Serial Attached SCSI（Small Computer System Interface））やＦＣ（Fibre Channel）等を用いてアクセスするためのインタフェースボードであるHBA（ホストバスアダプタ）１１を備えている。このHBA１１を介してアクセス可能な種々のデータを記憶するディスク装置１０（複製元記憶装置）を、直接接続して備えている。
【００１９】
また、複製元ストレージ装置１は、ExpEther（エクスプレスイーサ）技術を用いて、ネットワークＮ１を経由した他のストレージ装置の配下にあるディスク装置等を、自装置（複製元ストレージ装置１）に直接接続されているよう制御するインタフェースボードであるExpEther機器１２（接続機器）を備えている。具体的に、ExpEther機器１２は、イーサネットを介して遠隔地にあるPCI Expressインタフェースを持つI/Oボード等を、自装置（複製元ストレージ装置１）のバスであるPCI Expressバスに直接接続されているかのように扱うことができる機能を有する。つまり、本実施形態におけるExpEther機器１２は、ネットワークＮ１を介して接続された複製先ストレージ装置２側のExpEther機器２２との間に位置するネットワークＮ１を、複製元ストレージ装置１のバスの延長として扱うことができ、複製先ストレージ装置２側のディスク装置２０を仮想的に複製元ストレージ装置１に直接接続されているよう扱うことができる。
【００２０】
そして、複製元ストレージ装置１は、演算装置にプログラムが組み込まれることによって構築された、ディスク制御部１３と、接続処理部１４と、複製処理部１５と、を備えている。
【００２１】
上記ディスク制御部１３は、ディスク装置１０に対するデータの書き込みや読み取りを制御する。
【００２２】
上記接続処理部１４（接続制御手段）は、上述したExpEther機器１２に対して、複製先ストレージ装置２側のディスク装置２０に接続されているHBA２１を配下に持つExpEther機器２２への接続を指示する。そして、接続処理部１４は、ExpEther機器１２を駆動し、複製先ストレージ装置２側のExpEther２２との接続を確立するよう制御する。このとき、ExpEther機器１２は、複製先ストレージ装置２側のディスク装置２０配下にあるHBA２１が、複製元ストレージ装置１のバスであるPCI Expressバスに直接接続しているようなインタフェースを提供する。これにより、上述したディスク制御部１３は、HBA１１によって直結しているディスク装置１０と同様に、複製先ストレージ装置２側のディスク装置２０にも、直接接続されている周辺機器としてアクセスできるようになる。
【００２３】
なお、上記接続処理部１４が、上述したように各ExpEther機器１２，２２を介して遠隔地のホストバスアダプタ２１との接続を行う際には、自装置である複製元ストレージ装置１が直接接続されている機器をHotPlug機能にて自動的に接続／切断を行うことと同様に、接続や切断を行うことができる。
【００２４】
ここで、上述したExpEther機器１２，２２間にて、ネットワークＮ１を複製元ストレージ装置１のバスの延長として扱うExpEther技術について説明する。ExpEther技術では、各ExpEther機器１２，２２にてやり取りされるデータに特定のヘッダを付加して、かかるデータをカプセル化することで、遠隔地のストレージ装置などの機器が直接接続されているようなインタフェースを提供することができる。なお、ExpEther技術は公知であるため、その詳細な説明は省略する。
【００２５】
また、上記複製処理部１５（複製手段）は、複製元ストレージ装置１配下のディスク装置１０に記憶されている複製対象データを、当該複製元ストレージ装置１のバスの延長上に接続された複製先ストレージ装置２配下のディスク装置２０に送信して、複製記憶するよう制御する。
【００２６】
［動作］
次に、上述したストレージシステムにおいて、複製元ストレージ装置１のディスク装置１０に記憶されている複製対象データを、複製先ストレージ装置２のディスク装置２０に複製する動作を、図１乃至図４を参照して説明する。
【００２７】
まず、複製処理部１５が、接続処理部１４に対して、複製先ストレージ装置２側のディスク装置２０に接続されているHBA２１を配下に持つExpEther機器２２への接続を指示する。かかる指令を受けた接続処理部１４は、ExpEther機器１２を駆動し、ネットワークＮ１を介して接続されたExpEther機器２２との接続を確立する（図４のステップＳ１）。この時点でExpEther機器１２は、複製元ストレージ装置１に対して、複製先ストレージ装置２側のHBA２１がPCI Expressバスに直結しているかのようなインタフェースを提供する（図２の符号１６参照）。これにより、ディスク制御部１３は、HBA１１によって直結しているディスク装置１０と同様に、複製先ストレージ装置２側のディスク装置２０にも直結しているようにアクセスできるようになる。
【００２８】
この後、複製処理部１５は、複製元ストレージ装置１のディスク装置１０から、複製先ストレージ装置２のディスク装置２０の複製先領域に、複製対象データを複製する（図３の矢印Ｙ１参照、図４のステップＳ２）。なお、ディスク装置２０の複製先領域は、複製先ストレージ装置２と複製元ストレージ装置１との間で排他制御される場合があるが、本実施形態ではその詳細な説明は省略する。
【００２９】
上述したように複製対象データの複製が完了した後に、複製処理部１５は接続処理部１４に対して切断を指示する。これにより、ExpEther機器１２，２２間の接続が切断され（図４のステップＳ３）、複製先ストレージ装置２側のディスク装置２０が複製元ストレージ装置１に直接接続された状態が解除される。
【００３０】
以上のように、本発明におけるストレージシステムによると、複製先ストレージ装置２はデータ転送処理にかかわることなく、また複製元ストレージ装置１で行われる処理も単なるデバイス間のデータコピーであり、ネットワークプロトコル処理なども全く必要とされない。従って、複製処理の実行コストを大幅に削減することができ、ストレージシステム全体の処理負荷を軽減することができる。
【００３１】
また、上述した接続処理部１４のように、コピー処理時に作動し、デバイスを直結するためのホットプラグ相当の処理を追加するだけで実現できるため、実装コストを大幅に削減することができる。
【００３２】
さらに、複製処理を直結デバイス間と同等までに簡潔にしつつも、装置間はExpEther機器によるネットワーク接続で行っているため、複製装置間の物理的配置の自由度を大きくできる。
【００３３】
＜実施形態２＞
次に、本発明の第２の実施形態を、図５を参照して説明する。図５は、本実施形態におけるストレージシステムの構成を示す機能ブロック図である。
【００３４】
本実施形態におけるストレージシステムは、複数の複製元ストレージ装置１０１が、特定の複製先ストレージ装置１０２に接続されている、という構成をとっている。図５の例では、それぞれディスク装置１１０を有する各複製元ストレージ装置１０１がExpEther機器１１２をそれぞれ備えており、当該各ExpEther機器１１２が複製先ストレージ装置１０２が有するディスク装置１２０に接続されたHBA１２１を配下に持つExpEther機器１２２に、ネットワークを介して接続されている。なお、複製元ストレージ装置１０１や複製先ストレージ装置１０２、各ExpEther機器１１２，１２２等は、上述した実施形態１におけるストレージシステムとほぼ同様の構成をとっている。
【００３５】
そして、複製先ストレージ装置１０２側のExpEther機器１２２は、いずれの複製元ストレージ装置１０１側のExpEther機器１１２からも接続を受けることができる。つまり、複製先ストレージ装置１０２側のディスク装置１２０は、複数の複製元ストレージ装置１０１に直接接続された状態となりうる。
【００３６】
このとき、複製先ストレージ装置１０２側のディスク装置１２０は、複数の複製元ストレージ装置１０１間で排他制御しながら使用されてもよく、複製先ストレージ側の１０２のExpEther機器１２２とHBA１２１とがマルチルート対応機能を持つ場合には、同時に使用されることも可能である。
【００３７】
これにより、複数の複製元ストレージ装置１０１からの複製を、複製先ストレージ装置１０２側のディスク装置１２０に対して、直接接続されている状態で実行することができる。
【００３８】
なお、複製の方向は、上述した方向とは逆方向にも可能であってもよい。つまり、複製元ストレージ装置１０１が、複製先ストレージ装置１０２側のディスク装置１２０に記憶されているデータを、複製元ストレージ装置１０１側のディスク装置１１０に複製記憶してもよい。
【００３９】
さらに、上述した複製先ストレージ装置１０２側のディスク装置１２０に装備されたExpEther機器１２２及びHBA１２１と同等の構成を、複製元ストレージ装置１０１側のディスク装置１１０に装備してもよい。これにより、各ストレージ装置１０１，１０２が、お互いに複製処理を行うことができる。
【００４０】
以上のように各実施形態にて説明したストレージシステムは、高速データ複製、移動などといった用途に適用できる。さらに、同様の方式よって、テープ装置の共用によるバックアップといった用途にも適用可能である。
【００４１】
＜付記＞
上記実施形態の一部又は全部は、以下の付記のようにも記載されうる。以下、本発明におけるストレージシステムの構成の概略について図６を参照して説明する。また、本発明における、プログラム、情報処理方法の構成について説明する。但し、本発明は、以下の構成に限定されない。
【００４２】
（付記１）
複製対象データを記憶する複製元記憶装置２１０を備えた複製元ストレージ装置２０１と、複製先ストレージ装置２０２に備えられた前記複製対象データの複製先となる複製先記憶装置２２０と、がネットワークＮ２を介して接続されており、
前記複製先記憶装置２２０に、当該複製先記憶装置２２０が前記ネットワークＮ２と接続するためのインタフェースであるホストバスアダプタ２２１を備える共に、
前記複製元ストレージ装置２０１と前記複製先記憶装置２２０に備えられた前記ホストバスアダプタ２２１とに、これらの間に位置する前記ネットワークＮ２を前記複製元ストレージ装置２０１のバスの延長として利用し、前記複製元ストレージ装置２０１と前記複製先記憶装置２２０に備えられた前記ホストバスアダプタ２２１とを接続する接続機器２１２，２２２をそれぞれ備えた、
ストレージシステム。
【００４３】
（付記２）
付記１に記載のストレージシステムであって、
前記複製元ストレージ装置は、前記接続機器間の接続を確立して、前記ホストバスアダプタを介して前記複製元ストレージ装置のバスの延長上に前記複製先記憶装置を接続するよう制御する接続制御手段を備えた、
ストレージシステム。
【００４４】
（付記３）
付記２に記載のストレージシステムであって、
前記複製元ストレージ装置は、前記接続制御手段にて接続が確立された前記複製先記憶装置に、前記複製元記憶装置に記憶された複製対象データを送信して複製記憶する複製手段を備えた、
ストレージシステム。
【００４５】
（付記４）
付記１乃至３のいずれかに記載のストレージシステムであって、
前記複製先記憶装置側の前記接続機器は、複数の前記複製元ストレージ装置に備えられた各前記接続機器と接続の確立が可能である、
ストレージシステム。
【００４６】
（付記５）
付記１乃至４のいずれかに記載のストレージシステムであって、
前記接続機器はExpEther機器であり、前記ネットワークはイーサネットである、
ストレージシステム。
【００４７】
（付記６）
複製対象データを記憶する複製元記憶装置を備えた複製元ストレージ装置と、複製先ストレージ装置に備えられた前記複製対象データの複製先となる複製先記憶装置と、がネットワークを介して接続されており、
前記複製先記憶装置に、当該複製先記憶装置が前記ネットワークと接続するためのインタフェースであるホストバスアダプタを備える共に、
前記複製元ストレージ装置と前記複製先記憶装置に備えられた前記ホストバスアダプタとに、これらの間に位置する前記ネットワークを前記複製元ストレージ装置のバスの延長として利用し、前記複製元ストレージ装置と前記複製先記憶装置に備えられた前記ホストバスアダプタとを接続する接続機器をそれぞれ備えたストレージシステムが構成されている場合に、
前記複製元ストレージ装置に、前記接続機器間の接続を確立して、前記ホストバスアダプタを介して前記複製元ストレージ装置のバスの延長上に前記複製先記憶装置を接続するよう制御する接続制御手段を実現させるためのプログラム。
【００４８】
（付記７）
付記６に記載のプログラムであって、
前記複製元ストレージ装置に、さらに、前記接続制御手段にて接続が確立された前記複製先記憶装置に、前記複製元記憶装置に記憶された複製対象データを送信して複製記憶する複製手段を実現させるためのプログラム。
【００４９】
（付記８）
複製対象データを記憶する複製元記憶装置を備えた複製元ストレージ装置と、複製先ストレージ装置に備えられた前記複製対象データの複製先となる複製先記憶装置と、がネットワークを介して接続されており、
前記複製先記憶装置に、当該複製先記憶装置が前記ネットワークと接続するためのインタフェースであるホストバスアダプタを備える共に、
前記複製元ストレージ装置と前記複製先記憶装置に備えられた前記ホストバスアダプタとに、これらの間に位置する前記ネットワークを前記複製元ストレージ装置のバスの延長として利用し、前記複製元ストレージ装置と前記複製先記憶装置に備えられた前記ホストバスアダプタとを接続する接続機器をそれぞれ備えたストレージシステムにて、
前記複製元ストレージ装置が、前記接続機器間の接続を確立して、前記ホストバスアダプタを介して前記複製元ストレージ装置のバスの延長上に前記複製先記憶装置を接続するよう制御する、
情報処理方法。
【００５０】
（付記９）
付記８に記載の接続制御方法であって、
前記複製元ストレージ装置が、当該複製元ストレージ装置のバスの延長上に接続が確立された前記複製先記憶装置に、前記複製元記憶装置に記憶された複製対象データを送信して複製記憶する、
情報処理方法。
【００５１】
以上、上記各実施形態を参照して本願発明を説明したが、本願発明は、上述した実施形態に限定されるものではない。本願発明の構成や詳細には、本願発明の範囲内で当業者が理解しうる様々な変更をすることができる。
【００５２】
なお、本発明は、日本国にて２０１０年３月１７日に特許出願された特願２０１０−６００８５の特許出願に基づく優先権主張の利益を享受するものであり、当該特許出願に記載された内容は、全て本明細書に含まれるものとする。
【符号の説明】
【００５３】
１      複製元ストレージ装置
２      複製先ストレージ装置
１０    ディスク装置
１１    HBA
１２    ExpEther機器
１３    ディスク制御部
１４    接続処理部
１５    複製処理部
２０    ディスク装置
２１    HBA
２２    ExpEther機器
１０１  複製元ストレージ装置
１０２  複製先ストレージ装置
１１０，１２０  ディスク装置
１２０  ディスク装置
２０１  複製元ストレージ装置
２０２  複製先ストレージ装置
２１０  複製元記憶装置
２１２，２２２  接続機器
２２０  複製先記憶装置
２２１  ホストバスアダプタ
Ｎ１，Ｎ２  ネットワーク
【図１】
0005626334.tif 000002
【図２】
0005626334.tif 000003
【図３】
0005626334.tif 000004
【図４】
0005626334.tif 000005
【図５】
0005626334.tif 000006
【図６】
0005626334.tif 000007